(57)【要約】【課題】壁体に設けられた戸袋内に戸体が収納される片引き式の引込戸において、戸体をレールから簡単に取り外せるようにして、戸袋内の清掃を容易にする。【解決手段】本発明の引込戸１０は、レール１４に沿って走行する戸体２０が、建物の壁体に設けられた戸袋３０内に収納される引込戸１０において、戸体２０の戸先側の縦框２３に垂直方向の分割面が設けられて、この縦框が横幅方向に分割可能となされ、縦框の戸先側半体４１を戸体本体から分離することにより、戸体２０の全体が戸袋３０から引き出されてレール１４から取り外し可能となされたものである。【選択図】図４
2007046242.tif 000002
【特許請求の範囲】
【請求項１】
レールに沿って走行する戸体が、建物の壁体に設けられた戸袋内に収納される引込戸において、戸体の戸先側の縦框に垂直方向の分割面が設けられて、この縦框が横幅方向に分割可能となされ、縦框の戸先側半体を戸体本体から分離することにより、戸体の全体が戸袋から引き出されてレールから取り外し可能となされたことを特徴とする引込戸。
【請求項２】
分割面の水平断面が戸体の走行方向に向かって嵌合し合う凹凸形状となるように、戸先側の縦框の片側半体に嵌合凸部、他側半体に嵌合凹部が設けられたことを特徴とする請求項１に記載の引込戸。
【請求項３】
戸先側の縦框は、その片側半体に設けられた嵌合凸部と他側半体に設けられた嵌合凹部とを嵌合させて、ビス止めにより結合されるように形成されたことを特徴とする請求項２に記載の引込戸。
【請求項４】
戸先側の縦框の嵌合凸部と嵌合凹部とを嵌合させてビス止めする箇所が、戸体の表面から没入した溝状に形成されるとともに、この溝状部分にカバー材が嵌装されるように形成されたことを特徴とする請求項３に記載の引込戸。
【請求項５】
戸袋の開口縁部と、戸体の引込側の縦框の縁部に、それぞれ横断面略Ｌ字形の気密係合片が設けられて、戸体を閉じたときに上記気密係合片同士が互いに係合し合うとともに、戸袋の開口縁部に設けられた気密係合片は、当該開口縁部に着脱可能となるように形成されたことを特徴とする請求項１に記載の引込戸。
【請求項６】
戸袋の開口縁部に設けられる気密係合片は、当該開口縁部に対して着脱可能な気密部材の一部として形成され、この気密部材は、当該開口縁部近傍の開口枠または戸袋の内張り材にビス止めによって結合されるように形成されたことを特徴とする請求項５に記載の引込戸。
【請求項７】
気密部材は、開口縁部近傍の開口枠または戸袋の内張り材にビス止めされる箇所が溝状に形成されるとともに、その溝状部分にカバー材が嵌装されるように形成されたことを特徴とする請求項６に記載の引込戸。
【発明の詳細な説明】
【技術分野】
【０００１】
本発明は、出入口等に設けられて、開扉時には戸袋内に引込み収納される引込戸に関する。
【背景技術】
【０００２】
従来より、例えば建物の勝手口など比較的スペースの狭い場所に設けられる開口部用の建具として、片引き式の引込戸がよく利用されている。この種の引込戸は、建物の壁体と一体に設けた戸袋の内側に戸体をスライドさせて収納できるように構成されているので、開口幅を有効に利用することができ、開放時に戸体が邪魔にならないという利点がある。
【０００３】
しかし、上記のような引込戸においては、長期間使用するうちに、戸袋内の奥のほうに埃やゴミが溜まってしまうという問題が生じる。また、戸体に取り付けられた戸車を交換する必要が生じることもある。戸体をレールから取り外すことができれば、戸袋内の清掃や戸車のメンテナンスも可能にはなるが、片引き式の引込戸の場合、戸体の横幅が開口幅よりも大きく形成されるのが通常であるから、戸体を戸袋から完全に抜き出してレールから取り外すのは困難である。
【０００４】
このような不都合を解決しうる技術として、特許文献１には、戸袋に面する屋内側の壁体の一部を開き戸状に開閉させて、戸体を取り外せるようにした構造が開示されている。しかしながら、かかる構造においては、開口部枠材、造作材、額縁材、気密材等の一部が開き戸状に開閉する壁体部分と一体的に構成されるので、多くの部材にまたがって構造的な納まりが複雑化する。また、それらの部材の上下周辺に配設される壁体や他の固定された類似部材との間に合わせ目が生じることになるので、意匠性や気密性も損なわれてしまうこととなる。
【特許文献１】特開平１０−２０５２２０号公報
【発明の開示】
【発明が解決しようとする課題】
【０００５】
本発明は上記のような問題に鑑みてなされたもので、壁体に設けられた戸袋を容易には開閉したり解体したりすることができない片引き式の引込戸において、戸体をレールから簡単に取り外せるようにして、戸袋内の清掃やメンテナンスを容易ならしめることを目的とする。
【０００６】
さらに、本発明は、戸体をレールから取り外し可能とするにあたり、意匠性や気密性にも優れた構造を提供することを詳細な解決課題とする。
【課題を解決するための手段】
【０００７】
上記課題を解決するため、本発明の引込戸は、レールに沿って走行する戸体が、建物の壁体に設けられた戸袋内に収納される引込戸において、戸体の戸先側の縦框に垂直方向の分割面が設けられて、この縦框が横幅方向に分割可能となされ、縦框の戸先側半体を戸体本体から分離することにより、戸体の全体が戸袋から引き出されてレールから取り外し可能となされたことを特徴とする。
【０００８】
上記発明においては、分割面の水平断面が戸体の走行方向に向かって嵌合し合う凹凸形状となるように、戸先側の縦框の片側半体に嵌合凸部、他側半体に嵌合凹部が設けられるのが好ましい。
【０００９】
そして、戸先側の縦框は、その片側半体に設けられた嵌合凸部と他側半体に設けられた嵌合凹部とを嵌合させて、ビス止めにより結合されるように形成されるのが好ましい。
【００１０】
戸先側の縦框の嵌合凸部と嵌合凹部とを嵌合させてビス止めする箇所は、戸体の表面から没入した溝状に形成されるとともに、この溝状部分にカバー材が嵌装されるように形成されるのが好ましい。
【００１１】
これらの構成により、戸体の縦框を容易に分割することができ、横幅が小さくなった戸体を戸袋から完全に引き出してレールから取り外すことが可能になる。さらに、分割面も目立たなくすることができるので、意匠性も良好に保持される。
【００１２】
さらに、本発明の引込戸は、戸袋の開口縁部と、戸体の引込側の縦框の縁部に、それぞれ横断面略Ｌ字形の気密係合片が設けられて、戸体を閉じたときに上記気密係合片同士が互いに係合し合うとともに、戸袋の開口縁部に設けられた気密係合片は、当該開口縁部に着脱可能となるように形成されたことを特徴とする。このように、着脱可能な気密手段を設けることにより、気密性も良好に保持される。
【００１３】
戸袋の開口縁部に設けられる気密係合片は、当該開口縁部に対して着脱可能な気密部材の一部として形成され、この気密部材は、当該開口縁部近傍の開口枠または戸袋の内張り材にビス止めによって結合されるように形成されるのが好ましい。
【００１４】
また、気密部材は、開口縁部近傍の開口枠または戸袋の内張り材にビス止めされる箇所が溝状に形成されるとともに、その溝状部分にカバー材が嵌装されるように形成されるのが好ましい。
【発明の効果】
【００１５】
上述のように構成される本発明の引込戸は、戸体の縦框の一部を分離して戸体の横幅を小さくし、戸体を戸袋から完全に引き出してレールから取り外すことができるように構成されているので、戸袋内の清掃やメンテナンスがし易くなる。
【００１６】
また、本発明において採用する縦框の分割構造は、縦框の見込面に垂直方向の分割ラインが入るだけのものであるから、外観意匠は分割ラインの目立たない美麗なものとなり、分割面の気密性も良好に保持される。
【発明を実施するための最良の形態】
【００１７】
以下、本発明の実施の形態について図を参照して説明する。
【００１８】
図１〜図５は本発明の一実施形態に係る引込戸を示す。図１は引込戸の屋外側正面図、図２は引込戸の屋内側正面図であり、図３〜図５は引込戸の横断面図である。
【００１９】
例示の引込戸１０は、建物の外壁に勝手口として設けられたものである。開口部の屋外側の四周には屋外側開口枠１１が取り付けられており、屋内側の四周には屋内側開口枠１２や造作枠１３が取り付けられている。戸体２０は、これら枠材１１、１２等の内側に建て込まれて開口部を開閉可能とする。
【００２０】
上下の開口枠１１にはレール１４が設けられ、このレール１４に沿って戸体２０が走行可能に建て込まれている。戸体２０を収納する戸袋３０は、外壁材３１と内壁材３２とによって挟まれた壁体内に設けられている。戸袋３０の屋外側の内面及び屋内側の内面には、戸袋内張り材３３、３４がそれぞれ張設されている。
【００２１】
戸体２０はその四周に、上框２１、下框２２、戸先側の縦框２３及び引込側の縦框２４を備え、これらの框材の内側にガラス板等からなる面材２５が嵌め込まれている。戸先側の縦框２３には開閉操作用の取手２６や施錠装置２７も取り付けられている。
【００２２】
本発明の要部をなす戸先側の縦框２３は、図６に示すように、戸先側の半体４１と本体側の半体５１とが、垂直方向の分割面を介して分離可能となっている。本体側の半体５１は、戸先側に向かって中央が凸となる嵌合凸部５２を有している。一方、戸先側の半体４１は、本体側の半体５１に向かって突出する一対の突片４２、４３を有しており、これら両突片４２、４３の間に形成された凹部が上記嵌合凸部５２を内外両面から挟み込む嵌合凹部４４を構成している。
【００２３】
上記両突片４２、４３のうち屋内側に設けられた突片４３には、高さ方向に沿って適宜間隔で数個のビス挿通孔４５が形成されている。また、嵌合凸部５２の屋内側の見付面には、上記ビス挿通孔４５と合致するようにビス螺合孔５３がタッピングされている。そして、嵌合凸部５２と嵌合凹部４４とを嵌合させた状態で、嵌合凸部５２の屋内側の見付面と嵌合凹部４４の突片とが屋内側からビス止めにより結合される。
【００２４】
嵌合凸部５２に対してビス止めされる屋内側の突片４３は、その先端が屋内側に向かって折曲され、屋内側に対しても溝状に開口した断面形状をなしている。この溝状部分４６には、ビス６１を隠すためのカバー材７１が取り付けられる。カバー材７１は、溝状部分の内側に嵌装される一対の嵌合片７２、７２と、平坦な帯板状の表面材７３とを有し、溝状部分４６に嵌装された状態で、表面材７３が、本体側の半体５１及び戸先側の半体４１の屋内側見付面と面一になるように形成されている。
【００２５】
また、本体側の半体５１における屋外側の見付け面５４と、戸先側の半体４１における屋外側の見付け面４７は、互いの端縁同士を重合させるようにそれぞれ延長されて、結合時に屋外側から見て面一となるように形成されている。
【００２６】
例示の引込戸１０においては、気密性を高めるために、戸袋３０の屋外側の開口縁部と、戸体２０の引込側の縦框２４の屋外側縁部に、それぞれ横断面略Ｌ字形の気密係合片８１、８２が設けられて、戸体２０を閉じたときに、これらの気密係合片８１、８２が互いに係合し合うようになっている。これにより、屋外側と屋内側との間で空気の流出入や湿気、煙等の流入を防ぐことができる。
【００２７】
戸体２０側の気密係合片８２は引込側の縦框２４と一体に形成されているが、戸袋３０側の気密係合片８１は、戸袋３０の屋外側の内張り材３３に対して着脱可能な気密部材８０の一部として形成されている。この気密部材８０は、図７に示すように、屋外側の内張り材３３の端面に当接される取付基部８３と、この取付基部８３から戸先側に向かって突出する一対の突片８４、８５とを具備し、気密係合片８１は取付基部８３から屋内側に向かって延設されている。さらに、両突片８４、８５のうち屋内側の突片８５から屋内側に向かって突設された部分と、気密係合片８１との間には、パッキン材を取り付けるための溝部８６が形成されている。
【００２８】
取付基部８３には、高さ方向に沿って適宜間隔で数個のビス挿通孔８７が形成され、これに対応して、内張り材３３の見込面にはビス螺合孔３５がタッピングされている。そして、気密部材８０の取付基部８３を内張り材３３の見込面に当接させた状態で、その重合部分が屋外の戸先側からビス止めにより結合される。
【００２９】
気密部材８０に形成された一対の突片８４、８５の間には、上記したビス６２を隠すためのカバー材７５が取り付けられる。カバー材７５は、両突片８４、８５の内側に嵌装される一対の嵌合片７６、７６と、平坦な帯板状の表面材７７とを有し、気密部材８０に嵌装された状態で、表面材７７が、屋外側開口枠１１の見込面と面一になるように形成されている。
【００３０】
また、例示の引込戸１０においては、断熱性能を高めるために、各框材や開口枠が屋外側と屋内側とに分割され、断熱性樹脂６５を介して連結された断熱構造が採用されている。ただし、この種の断熱構造は、本発明において特に必須の要件ではない。
【００３１】
本発明の引込戸１０はこのように構成されているので、必要に応じて、戸体２０を簡単にレール１４から取り外すことができる。その手順は以下の通りである。
【００３２】
まず、戸体２０を、少なくとも戸先側の縦框２３が戸袋３０から引き出される位置まで移動する。そして、図４及び図７中に（１）〜（３）で示したように、気密部材８０に嵌装されたカバー材７５を取り外し、ビス６２を抜いて、気密部材８０を戸袋３０の内張り材３３から取り外す。次いで、図４及び図６中に（４）〜（６）で示したように、戸先側の縦框２３に嵌装されたカバー材７１を取り外し、ビス６１を抜いて、戸先側の半体４１を戸体２０から分離する。なお、（１）〜（３）の手順と、（４）〜（６）の手順は後先入れ替えても差し支えない。
【００３３】
上記手順により、戸体２０の横幅は、分離された戸先側の半体４１の分だけ小さくなるので、図５中に（７）で示すように、戸体２０を戸先側一杯まで引き出すと、引込側の縦框２４が戸袋３０から完全に抜け出す。ここで、（８）に示すように、戸体２０を持ち上げるなどしてレール１４から取り外す。これにより、戸袋３０の開口が完全に開放され、普段は手の届かない戸袋３０の奥のほうまで簡単に掃除することが可能になる。
【００３４】
なお、本発明の引込戸１０における戸先側の縦框２３の分割形態は、例示した実施形態に限定されるものではなく、本発明の趣旨を逸脱しない範囲で多少の変形は可能である。例えば、嵌合凸部と嵌合凹部の位置関係を反対向きにしたようなものであってもよい。
【００３５】
図８に、戸先側の縦框２３の他の分割形態を示す。この図は、戸先側の縦框２３の横断面図であって、（ａ）は結合状態、（ｂ）は分離状態を示す。上記実施形態に示した各部材・部位と機能や作用において共通する部位・部材には同一の符号を付している。例示の縦框２３も、戸先側（図示左側）の半体４１と本体側（図示右側）の半体５１とが、垂直方向の分割面を介して分離可能となっている。本体側の半体５１は、戸先側に向かって中央が凸となる嵌合凸部５２を有している。一方、戸先側の半体４１は、本体側の半体５１に向かって突出する一対の突片４２、４３を有しており、これら両突片４２、４３の間に形成された凹部が上記嵌合凸部５２を内外両面から挟み込む嵌合凹部４４を構成している。
【００３６】
戸先側の半体４１における嵌合凹部の底面には、高さ方向に沿って適宜間隔で数個のビス挿通孔４５が形成されている。また、本体側の半体５１における嵌合凸部５２の頂面には、上記ビス挿通孔４５と合致するようにビス螺合孔５３がタッピングされている。そして、嵌合凸部５２と嵌合凹部４４とを嵌合させた状態で、両半体４５、５１が戸先側からビス止めにより結合される。符号４８は、戸先側からドライバ等でビス６３の着脱操作を行うために、ビス６３の頭径よりも大きく形成された操作孔である。この操作孔４８には、通常時は適宜のキャップ（図示せず）が嵌装されるようになっているのが好ましい。このような形態によっても、戸体を戸袋から引き出してレールから取り外すという、本発明の目的は好適に達成される。
【図面の簡単な説明】
【００３７】
【図１】本発明の実施形態に係る引込戸の屋外側正面図である。
【図２】上記引込戸の屋内側正面図である。
【図３】上記引込戸の横断面図であって、通常時の戸体を閉じたときの状態を示す。
【図４】上記引込戸の横断面図であって、戸体を取り外す際の中間状態を示す。
【図５】上記引込戸の横断面図であって、戸体を取り外した状態を示す。
【図６】上記引込戸における戸先側の縦框の分解斜視図である。
【図７】上記引込戸における気密部材の分解斜視図である。
【図８】本発明の他の実施形態に係る引込戸の、戸先側の縦框の横断面図であって、（ａ）は縦框の結合状態、（ｂ）は縦框の分離状態を示す。
【符号の説明】
【００３８】
１０  引込戸
１１  開口枠
１４  レール
２０  戸体
２３  戸先側の縦框
２４  引込側の縦框
３０  戸袋
３３  内張り材
４１  戸先側の半体
４４  嵌合凹部
４６  溝状部分
５２  嵌合凸部
６１  ビス
６２  ビス
６３  ビス
７１  カバー材
７５  カバー材
８０  気密部材
８１  気密係合片
８２  気密係合片
【図１】
2007046242.tif 000003
【図２】
2007046242.tif 000004
【図３】
2007046242.tif 000005
【図４】
2007046242.tif 000006
【図５】
2007046242.tif 000007
【図６】
2007046242.tif 000008
【図７】
2007046242.tif 000009
【図８】
2007046242.tif 000010